(57)【特許請求の範囲】
【請求項１】
上下に収納部を備え、下収納部の前面が上収納部の前面よりも前方へ迫り出した位置に配置され、その迫り出し部の上面が棚面を形成しているものにおいて、
前記棚面の巾方向の一部に開口部を設け、その開口部を介して上下方向に連続する空間を形成し、前記開口部を下収納部の巾方向の一部の前面を上収納部と略面一な位置にまで後退させて形成していることを特徴とする収納家具。
【請求項２】
上下に収納部を備え、下収納部の前面が上収納部の前面よりも前方へ迫り出した位置に配置され、その迫り出し部の上面が棚面を形成しているものにおいて、
前記棚面の巾方向の一部に開口部を設け、その開口部を介して上下方向に連続する空間を形成し、その空間の下方位置に、下収納部の一部をなす上方に開口したボックス状の補助収納部を設けていることを特徴とする収納家具。
【請求項３】
上下に収納部を備え、下収納部の前面が上収納部の前面よりも前方へ迫り出した位置に配置され、その迫り出し部の上面が棚面を形成しているものにおいて、
前記棚面の巾方向の一部に開口部を設け、その開口部を介して上下方向に連続する空間を形成し、その空間が、下収納部の巾方向の端部に設けてあることを特徴とする収納家具。
【請求項４】
上下に収納部を備え、下収納部の前面が上収納部の前面よりも前方へ迫り出した位置に配置され、その迫り出し部の上面が棚面を形成しているものにおいて、
前記下収納部の頂板のうち、前記迫り出し部に対応する部位の上面を前記棚面とし、
前記棚面の巾方向の一部に開口部を設け、その開口部を介して上下方向に連続する空間を形成していることを特徴とする収納家具。
【請求項５】
下収納部の巾方向の一部の前面を上収納部と略面一な位置にまで後退させて開口部を形成していることを特徴とする請求項４記載の収納家具。
【請求項６】
前記空間の下方位置に、下収納部の一部をなす上方に開口したボックス状の補助収納部を設けていることを特徴とする請求項１、３、４又は５記載の収納家具。
【請求項７】
前記空間が、下収納部の巾方向の端部に設けてあることを特徴とする請求項１、２、４又は５記載の収納家具。
【請求項８】
上収納部及び下収納部が組立、分解可能にユニット化されたものであることを特徴とする請求項１、２、３、４、５、６又は７記載の収納家具。
【発明の詳細な説明】
【０００１】
【発明の属する技術分野】
本発明は、長尺物の収納に適した収納家具に関するものである。
【０００２】
【従来の技術】
収納家具として、従来から箪笥や本棚を始めとして種々多様のものがある。このような中で、近時のシステム家具等は、グリッドに沿って配置でき、組み合わせや互換性を持たせて多様な収納機能を実現しようとする傾向にある。
【０００３】
【発明が解決しようとする課題】
ところで、収納家具の大半は、収納空間を塞ぐために引出しや扉を設け、また収納空間を効率良く利用するために棚が配置されるのは周知のところであり、通常の用途に対してはこのような収納機能で事欠くことはない。
しかしながら、模造紙や巻取り可能な掲示板のような長尺物は、一般的な収納空間には適合し難い。このため、これらの置場に窮する事態に遭遇するのは、誰しも経験のあるところである。
【０００４】
このような場合の置場の確保手段として、例えば壁際にボックス等を配置しておくことも考えられるが、長尺物は長手方向には嵩張るもののそれと直交する方向には広がりのないものであるため、このようなもののためにボックスを配置するとグリッドに沿った配置ができなくなり、システム家具のメリットが損なわれるケースも生じ得る。
【０００５】
【課題を解決するための手段】
本発明は、このような課題に着目してなされたものであって、上下に収納部を備え、下収納部の前面が上収納部の前面よりも前方へ迫り出した位置に配置され、その迫り出し部の上面が棚面を形成しているタイプの収納家具に着目し、このような家具を利用して上記の問題点を有効に解消することとしている。
【０００６】
【発明の実施の形態】
そのために、本発明のうち第１、第２及び第３の発明は、上記タイプの収納家具において、前記棚面の巾方向の一部に開口部を設け、その開口部を介して上下方向に連続する空間を形成したことを基本構成としている。
このような構成のものであれば、通常の規格に合致するような収納家具を用いても、その巾方向の一部を有効利用してかかる上下方向に連続した空間を形成し、その空間に長尺物を立て掛ける等して収納することができる。このため、既存のグリッド体系を崩すことなく、且つ出し入れし易い位置に、かかる長尺物の収納場所を有効に確保することができる。
【０００７】
具体的な形態としてなされた第１の発明は、前記基本構成に加えて、下収納部の巾方向の一部の前面を上収納部と略面一な位置にまで後退させて開口部を形成しているものである。
長尺物の収納状態をより安定したものにするためになされた第２の発明は、前記基本構成に加えて、前記空間の下方位置に、下収納部の一部をなす上方に開口したボックス状の補助収納部を設けているものである。
【０００８】
収納家具の他の収納機能に極力妨げとならないようにするためになされた第３の発明は、前記基本構成に加えて、前記空間が、下収納部の巾方向の端部に設けてあるものである。
そして、前記前提と同様の効果を奏する第４の発明は、上記タイプの収納家具において、前記下収納部の頂板のうち、前記迫り出し部に対応する部位の上面を前記棚面とし、前記棚面の巾方向の一部に開口部を設け、その開口部を介して上下方向に連続する空間を形成したものである。
以上説明した本発明を種々のタイプの家具として安価に利用するためには、上収納部及び下収納部が組立、分解可能にユニット化されていることが好ましい。
【０００９】
【実施例】
以下、本発明の一実施例を、図面を参照して説明する。
図１に示す収納家具Ａは、高齢者施設、例えば老人日帰り介護施設等において利用されるもので、下収納部を構成する下収納ユニット１及び上収納部を構成する上収納ユニット２を具備している。
【００１０】
下収納ユニット１は、図２〜図５に示すように、巾寸法ａ１がほぼ９００ｍｍ、奥行寸法ｂ１がほぼ６００ｍｍ程度、高さ寸法ｃ１がほぼ７５０ｍｍの外形を有したもので、具体的構成は、アジャスタ１１ａに支持された底板１１と、この底板１１の三方を包囲する位置に取り付けた左右の側板１２及び背板１３と、巾方向中央よりも左寄りに位置させて底板１１上に起立させた巾方向の仕切り１４と、これら側板１２、背板１３及び中仕切り１４の上端に取り付けた頂板１５とを備えている。底板１１、右側の側板１２、背板１３、中仕切り１４及び頂板１５によって包囲される位置には第１の収納空間Ｓ１が形成され、この第１の収納空間Ｓ１に上下３段の組をなす引出し１６ａ、１６ｂ、１６ｃをスライドレール１６ａ１、１６ｂ１、１６ｃ１を介して取り付け、それらの引出し１６ａ、１６ｂ、１６ｃの鏡板１６ａ２、１６ｂ２、１６ｃ２に取り付けた把手を利用して出し入れ可能としている。また、頂板１５の左前コーナー部に巾寸法ｘ１が２２０ｍｍ程度、奥行寸法ｘ２が２００ｍｍ程度の開口部たる切欠部１５ａを設け、左側の側板１２の前端側の上半部に上記切欠部１５ａに対応した切欠部１２ａを設けて、これら切欠部１５ａ、１２ａの奥方に奥行方向の仕切り１６を配置し、また隣接する引出し１６ａの鏡板１６ａ２とほぼ面一なる位置に側板１２の下半部と同一高さを有する前板１７を取り付けている。
【００１１】
一方、上収納ユニット２は、図６〜図８に示すように、巾寸法ａ２がほぼ９００ｍｍ、奥行寸法ｂ２がほぼ４００ｍｍ、高さ寸法ｃ２がほぼ１０５０ｍｍの外形を有したもので、具体的構成は、底板２１と、この底板２１の三方を包囲する位置に取り付けた左右の側板２２及び背板２３と、巾方向中央に位置させて底板２１上に起立させた巾方向の仕切り２４と、これら側板２２、背板２３及び仕切り２４の上端に取り付けた頂板２５とを備えている。底板２１、右又は左の側板２２、背板２３、仕切り２４及び頂板２５によって包囲される位置には、第２の収納空間Ｓ２が形成され、各収納空間Ｓ２を上下に３等分する位置に棚２６を配置している。
【００１２】
そして、下収納ユニット１の上方に上収納ユニット２を、図９及び図１０に示すようにそれらの巾方向位置を合致させ、且つ背板１３、２３を揃えて奥行方向の位置決めをしつつ上下に積み重ね、下収納ユニット１の頂板１５と上収納ユニット２の底板２１とを適宜手段によって連結している。
すなわち、これらのユニット１、２は、少なくとも同一巾寸法に規格化されており、図１１に示す他の収納家具Ｂと併用することもできるものである。この収納家具Ｂも、下収納ユニット３及び上収納ユニット４が同様の巾寸法に規格化されているものであり、また、下収納ユニット１、３同士、上収納ユニット２、４同士もそれぞれ奥行寸法及び高さ寸法が統一され、部屋のグリッドに沿って配置したり、上下のユニットを入れ替えて組み合わせることもできるものである。
【００１３】
以上のようにして、本実施例の収納家具Ａは、上下に収納ユニット１、２を備え、下収納ユニット１の前面が上収納ユニット２の前面よりも前方へ迫り出した位置に配置され、その迫り出し部の上面が棚面Ｘを形成するものである。そして、切欠部１５ａを設けることによって，棚面Ｘの巾方向の一部に上下に連続する空間Ｙを形成している。
【００１４】
したがって、通常の規格に合致するような収納家具Ａをシステム的に用いても、その巾方向の一部を有効利用してかかる上下方向に連続した空間Ｙを形成し、その空間Ｙに図１１に示すように模造紙や掲示板を始めとする種々の長尺物Ｚを立て掛ける等して収納することができる。このため、既存のグリッド体系を崩すことなく、且つ出し入れし易い位置に、かかる長尺物Ｚの収納場所を有効に確保して、従来にはない高齢者等にも使い勝手の良好な収納機能を容易に実現することが可能となる。
【００１５】
その際、下収納ユニット１の巾方向の前面を上収納ユニット２と略面一な位置にまで後退させて上記切欠部１５ａを形成するようにしているため、上下方向に連続する空間Ｙを十分に確保しておくことが可能となる。
特に、この実施例では、前記空間Ｙの下方位置に、下収納ユニット１の一部をなす上方に開口したボックス状の補助収納部Ｆを形成することとなるため、長尺物Ｙの収まりを良くして、収納状態をより安定したものにすることができる。なお、図４において符合１０で示すものは、この収納部Ｆを使用しない時に蓋をしておくためのカバーである。
【００１６】
また、この実施例の空間Ｙは、下収納ユニット１の巾方向の端部に設けてあるため、長尺物Ｚを収容しても、引出し１６ａ〜１６ｃや上収納ユニット２など、他の収納機能に極力妨げとならない使用状態を得ることができる。
さらに、上収納ユニット及び下収納ユニットが組立、分解可能なものであるため、本発明を種々のタイプの家具として安価に構成することができる。
【００１７】
なお、各部の具体的な構成は、図示実施例のものに限定されるものではなく、本発明の趣旨を逸脱しない範囲で種々変形が可能である。例えば、本発明は上収納部と下収納部が分離可能にユニット化されていることを必ずしも要件とするものではなく、一体的に構成されたものであっても構わない。また、棚面の側方に形成する空間を、収納部の端部以外の位置とすることを妨げるものではない。
【００１８】
【発明の効果】
本発明は、以上説明したような形態で実施され、以下に記載される効果を奏する。すなわち、本発明の収納家具は、上収納部と下収納部との境界部分に棚面が形成されるタイプのものにおいて、前記棚面の巾方向の一部に開口部を設け、その開口部を介して上下方向に連続する空間を形成したものである。また、本発明の収納家具は、上収納部と下収納部との境界部分に棚面が形成されるタイプのものにおいて、前記下収納部の頂板のうち、前記迫り出し部に対応する部位の上面を前記棚面とし、前記棚面の巾方向の一部に開口部を設け、その開口部を介して上下方向に連続する空間を形成したものである。
【００１９】
このため、通常の規格に合致するような収納家具を用いても、その巾方向の一部を有効利用してかかる上下方向に連続した空間を形成し、その空間に長尺物を立て掛ける等して収納することができる。このため、既存のグリッド体系を崩すことなく、且つ出し入れし易い位置に、かかる長尺物の収納場所を有効に確保することができ、従来にはない便利な収納機能を容易に実現することが可能となる。
【００２０】
その際、下収納部の巾方向の一部の前面を上収納部と略面一な位置にまで後退させて開口部を形成しているので、上下方向に連続する空間を十分に確保しておくことが可能である。特に、前記空間の下方位置に、下収納部の一部をなす上方に開口したボックス状の補助収納部を形成しているので、長尺物の収まりを良くして収納状態をより安定したものにすることができる。
【００２１】
また、かかる空間を、下収納部の巾方向の端部に設けているので、長尺物が他の収納機能の妨げとなることを極力回避することができる。さらに、上収納ユニット及び下収納ユニットが組立、分解可能なものであれば本発明を種々のタイプの家具として安価に構成することができる。
【図面の簡単な説明】
【図１】本発明の一実施例を示す斜視図。
【図２】同実施例を構成する下収納ユニットの斜視図。
【図３】図２の正面図。
【図４】同平面図。
【図５】同側断面図。
【図６】同実施例を構成する上収納ユニットの正面図。
【図７】同側断面図。
【図８】同平面図。
【図９】上下の収納ユニットを上下連結した状態の正面図。
【図１０】同側断面図。
【図１１】同実施例の他の使用例を示す斜視図。
【符号の説明】
１…下収納部（下収納ユニット）
２…上収納部（上収納ユニット）
１５ａ…開口部（切欠部）
Ｆ…補助収納部
Ｘ…棚面
Ｙ…空間
Ｚ…長尺物
【図１】
0003613107.tif 000002
【図２】
0003613107.tif 000003
【図３】
0003613107.tif 000004
【図４】
0003613107.tif 000005
【図５】
0003613107.tif 000006
【図６】
0003613107.tif 000007
【図７】
0003613107.tif 000008
【図８】
0003613107.tif 000009
【図９】
0003613107.tif 000010
【図１０】
0003613107.tif 000011
【図１１】
0003613107.tif 000012